(57)【要約】【解決手段】本開示の態様に従う移動式のセキュアなロッカーは、１または複数のプロセッサと、命令を格納したメモリと、を備える。命令は、１または複数のプロセッサによって実行されると、システムに、ユーザが自律ロボット車両内の移動式のセキュアなロッカーを借りるためのユーザインターフェースを提供させ、第１目的地、第２目的地、および、第２目的地に関連付けられている時刻を含む情報を、ユーザインターフェースを介してユーザから受信させ、第１目的地へ移動して物品を受け取るよう、自律ロボット車両へ命令を通信させ、物品を受け取った旨の示唆を自律ロボット車両から受信させ、第２目的地に移動して第２目的地に関連付けられている時刻に物品をユーザへ配達するよう、自律ロボット車両へ命令を通信させ、物品が回収された旨の示唆を自律ロボット車両から受信させる。【選択図】図１
2021532477.tif 000002
【特許請求の範囲】
【請求項１】
移動式のセキュアなロッカーのためのシステムであって、
１または複数のプロセッサと、
命令を格納する少なくとも１つのメモリと、
を備え、
前記命令は、前記１または複数のプロセッサによって実行されると、前記システムに、
ユーザが自律ロボット車両内の移動式のセキュアなロッカーを借りるためのユーザインターフェースを提供させ、
第１目的地、第２目的地、および、前記第２目的地に関連付けられている時刻を含む情報を、前記ユーザインターフェースを介して前記ユーザから受信させ、
前記第１目的地へ移動して物品を受け取るよう、前記自律ロボット車両へ命令を通信させ、
前記物品を受け取った旨の示唆を前記自律ロボット車両から受信させ、
前記第２目的地に移動して前記第２目的地に関連付けられている前記時刻に前記物品を配達するよう、前記自律ロボット車両へ命令を通信させ、
前記物品が回収された旨の示唆を前記自律ロボット車両から受信させる、システム。
【請求項２】
請求項１に記載のシステムであって、前記命令は、前記１または複数のプロセッサによって実行されると、さらに、前記システムに、
前記物品を前記自律ロボット車両から回収する目的で前記ユーザがさらなる情報を入力するための前記ユーザインターフェースを提供させ、
前記ユーザの現在位置を含む前記さらなる情報を前記ユーザインターフェースから受信させ、
前記第２目的地を前記ユーザの前記現在位置に変更させ、
前記ユーザの前記現在位置に移動して前記物品を前記ユーザに配達するよう、前記自律ロボット車両へ命令を通信させる、システム。
【請求項３】
請求項１に記載のシステムであって、前記命令は、前記１または複数のプロセッサによって実行されると、さらに、前記システムに、
前記物品を前記自律ロボット車両から回収する目的で前記ユーザがさらなる情報を入力するための前記ユーザインターフェースを提供させ、
新たな第２目的地、または、前記第２目的地に関連付けられている新たな時刻、の少なくとも一方を含む前記さらなる情報を前記ユーザインターフェースから受信させ、
前記第２目的地を前記新たな第２目的地に変更すること、または、前記ユーザの前記第２目的地現在位置に関連付けられている前記時刻を前記ユーザの前記第２目的地現在位置に関連付けられている前記新たな時刻に変更すること、の内の少なくとも一方を実行させ、
前記新たな第２目的地へ移動すること、または、前記新たな時刻に移動すること、の内の少なくとも一方を行って、前記物品を前記ユーザに配達するよう、前記自律ロボット車両へ命令を通信させる、システム。
【請求項４】
請求項１に記載のシステムであって、前記移動式のセキュアなロッカーは、前記ユーザに対応するバイオメトリックデータに基づいてロック解除されるよう構成されている、システム。
【請求項５】
請求項１に記載のシステムであって、前記命令は、前記１または複数のプロセッサによって実行されると、さらに、前記システムに、
前記ユーザを識別する情報を入力するためのユーザインターフェースを提供させ、
前記ユーザインターフェースを介して前記ユーザからユーザ識別情報を受信させる、システム。
【請求項６】
請求項５に記載のシステムであって、前記ユーザ識別情報は、ＰＩＮ、ＲＦＩＤ、声、顔認識、または、モバイルデバイス上の所定のコード、の内の少なくとも１つを含む、システム。
【請求項７】
請求項５に記載のシステムであって、前記命令は、前記１または複数のプロセッサによって実行されると、さらに、前記システムに、前記第２位置で前記ユーザのアイデンティティを確認した旨の示唆を前記自律ロボット車両から受信させ、前記確認は、前記ユーザ識別情報に基づいて実行される、システム。
【請求項８】
請求項１に記載のシステムであって、前記命令は、前記１または複数のプロセッサによって実行されると、さらに、前記システムに、前記自律ロボット車両から動画を受信させ、前記動画は、前記ユーザが前記物品を前記自律ロボット車両の中に置くことを記録している、システム。
【請求項９】
請求項８に記載のシステムであって、前記命令は、前記１または複数のプロセッサによって実行されると、さらに、前記システムに、前記少なくとも１つのメモリ内に前記動画を格納させる、システム。
【請求項１０】
請求項１に記載のシステムであって、前記ユーザインターフェースを提供する際に、前記命令は、前記１または複数のプロセッサによって実行されると、前記システムに、前記ユーザインターフェースを前記ユーザのデバイスへ提供させる、システム。
【請求項１１】
請求項１に記載のシステムであって、前記ユーザインターフェースを提供する際に、前記命令は、前記１または複数のプロセッサによって実行されると、前記システムに、前記自律車両のディスプレイスクリーンへ前記ユーザインターフェースを提供させる、システム。
【請求項１２】
移動式のセキュアなロッカーのためのコンピュータにより実行される方法であって、
ユーザが自律ロボット車両内の移動式のセキュアなロッカーを借りるためのユーザインターフェースを提供し、
第１目的地、第２目的地、および、前記第２目的地に関連付けられている時刻を含む情報を、前記ユーザインターフェースを介して前記ユーザから受信し、
前記第１目的地へ移動して物品を受け取るよう、前記自律ロボット車両へ命令を通信し、
前記物品を受け取った旨の示唆を前記自律ロボット車両から受信し、
前記第２目的地に移動して前記第２目的地に関連付けられている前記時刻に前記物品を配達するよう、前記自律ロボット車両へ命令を通信し、
前記物品が回収された旨の示唆を前記自律ロボット車両から受信すること、
を備える、コンピュータにより実行される方法。
【請求項１３】
請求項１２に記載のコンピュータにより実行される方法であって、さらに、前記自律ロボット車両から動画を受信することを備え、前記動画の記録は、前記物品の前記回収を含む、コンピュータにより実行される方法。
【請求項１４】
請求項１３に記載のコンピュータにより実行される方法であって、さらに、前記動画を格納する工程を備える、コンピュータにより実行される方法。
【請求項１５】
請求項１２に記載のコンピュータにより実行される方法であって、さらに、前記ユーザに対応するバイオメトリックデータに基づいて、前記移動式のセキュアなロッカーをロック解除することを備える、コンピュータにより実行される方法。
【請求項１６】
請求項１２に記載のコンピュータにより実行される方法であって、さらに、
前記ユーザを識別する情報を入力するためのユーザインターフェースを提供し、
前記ユーザインターフェースを介して前記ユーザからユーザ識別情報を受信すること、
を備える、コンピュータにより実行される方法。
【請求項１７】
請求項１２に記載のコンピュータにより実行される方法であって、さらに、
前記物品を前記自律ロボット車両から回収する目的で前記ユーザがさらなる情報を入力するための前記ユーザインターフェースを提供し、
前記ユーザの現在位置を含む前記さらなる情報を前記ユーザインターフェースから受信し、
前記第２目的地を前記ユーザの前記現在位置に変更し、
前記ユーザの前記現在位置に移動して前記物品を前記ユーザに配達するよう、前記自律ロボット車両へ命令を通信すること、
を備える、コンピュータにより実行される方法。
【請求項１８】
請求項１２に記載のコンピュータにより実行される方法であって、前記ユーザを識別する前記示唆は、ＰＩＮ、ＲＦＩＤ、声、顔認識、または、モバイルデバイス上の所定のコード、の内の少なくとも１つを含む、コンピュータにより実行される方法。
【請求項１９】
請求項１７に記載のコンピュータにより実行される方法であって、さらに、前記第２位置で前記ユーザのアイデンティティを確認した旨の示唆を前記自律ロボット車両から受信することを備え、前記確認は、前記ユーザ識別情報に基づいて実行される、コンピュータにより実行される方法。
【請求項２０】
請求項１２に記載のコンピュータにより実行される方法であって、さらに、前記ユーザインターフェースを前記ユーザのデバイスへ提供することを備える、コンピュータにより実行される方法。
【請求項２１】
請求項１２に記載のコンピュータにより実行される方法であって、さらに、前記ユーザインターフェースを前記自律車両のディスプレイスクリーンへ提供することを備える、コンピュータにより実行される方法。
【発明の詳細な説明】
【技術分野】
【０００１】
関連出願の相互参照
本願は、２０１８年１０月１２日出願の米国特許出願第１６／１５８，９８２号、および、２０１８年７月３０日出願の国際出願第ＰＣＴ／ＵＳ２０１８／０４４３６１号に基づく優先権を主張する。上述の出願の各々の全内容は、参照によって本明細書に組み込まれる。
【０００２】
本願は、自律車両に関し、特に、セキュアなコンパートメントを備えた自律ロボット車両に関する。
【背景技術】
【０００３】
完全自律型および／または半自律型ロボットの分野は、成長中のイノベーション分野である。ロボットは、倉庫の在庫品業務、家庭用掃除機ロボット、病院搬送ロボット、衛生ロボット、ならびに、軍事または防衛用途など、多くの目的に利用されている。自律車両にも、将来性がある。
【０００４】
自宅を遠く離れて様々な目的地を訪れる観光客または旅行者とっては、物品を保管して、その後に回収するための選択肢が限られている。しばしば、彼らは、旅行中に物品を保管するために便利な場所を持たない。観光客または旅行者は、固定の保管場所（鉄道の駅のロッカーまたはホテルのサービスなど）を利用しうる。しかしながら、固定の保管場所は、不便かつ非効率的である。固定の保管場所を伴う他の状況でも、同様の問題に直面する。したがって、既存の保管方法に関する課題に対処するための技術の開発に関心が持たれている。
【発明の概要】
【０００５】
本開示は、完全自律型および／または半自律型ロボットフリートに関し、特に、非構造化屋外環境または閉鎖環境のいずれかで物品を輸送または回収するためのロボット車両のフリートに関する。
【０００６】
本開示の態様によれば、移動式のセキュアなロッカーのためのシステムは、１または複数のプロセッサと、命令を格納するメモリと、を備える。命令は、１または複数のプロセッサによって実行されると、システムに、ユーザが自律ロボット車両内の移動式のセキュアなロッカーを借りるためのユーザインターフェースを提供させ、第１目的地、第２目的地、および、第２目的地に関連付けられている時刻を含む情報を、ユーザインターフェースを介してユーザから受信させ、第１目的地へ移動して物品を受け取るよう、自律ロボット車両へ命令を通信させ、物品を受け取った旨の示唆を自律ロボット車両から受信させ、第２目的地に移動して第２目的地に関連付けられている時刻に物品を配達するよう、自律ロボット車両へ命令を通信させ、物品が回収された旨の示唆を自律ロボット車両から受信させる。
【０００７】
本開示の態様によれば、命令は、１または複数のプロセッサによって実行されると、さらに、システムに、物品を自律ロボット車両から回収する目的でユーザがさらなる情報を入力するためのユーザインターフェースを提供させ、ユーザの現在位置を含むさらなる情報をユーザインターフェースから受信させ、第２目的地をユーザの現在位置に変更させ、ユーザの現在位置に移動して物品をユーザに配達するよう、自律ロボット車両へ命令を通信させる。
【０００８】
本開示の一態様において、命令は、１または複数のプロセッサによって実行されると、さらに、システムに、物品を自律ロボット車両から回収する目的でユーザがさらなる情報を入力するためのユーザインターフェースを提供させ、新たな第２目的地、または、第２目的地に関連付けられている新たな時刻、の少なくとも一方を含むさらなる情報をユーザインターフェースから受信させ、第２目的地を新たな第２目的地に変更すること、または、ユーザの第２目的地現在位置に関連付けられている時刻をユーザの第２目的地現在位置に関連付けられている新たな時刻に変更すること、の内の少なくとも一方を実行させ、新たな第２目的地へ移動すること、または、新たな時刻に移動すること、の内の少なくとも一方を行って、物品をユーザに配達するよう、自律ロボット車両へ命令を通信させる。
【０００９】
本開示の一態様において、移動式のセキュアなロッカーは、ユーザに対応するバイオメトリックデータに基づいてロック解除されるよう構成されている。
【００１０】
本開示の別の態様において、命令は、１または複数のプロセッサによって実行されると、さらに、システムに、ユーザを識別する情報を入力するためのユーザインターフェースを提供させ、ユーザインターフェースを介してユーザからユーザ識別情報を受信させる。
【００１１】
本開示の一態様において、ユーザ識別情報は、ＰＩＮ、ＲＦＩＤ、声、顔認識、または、モバイルデバイス上の所定のコード、の内の少なくとも１つを含む。
【００１２】
本開示のさらに別の態様において、命令は、１または複数のプロセッサによって実行されると、さらに、システムに、第２位置でユーザのアイデンティティ（身元）を確認した旨の示唆を自律ロボット車両から受信させ、確認は、ユーザ識別情報に基づいて実行される。
【００１３】
本開示のさらなる態様において、命令は、１または複数のプロセッサによって実行されると、さらに、システムに、自律ロボット車両から動画を受信させ、その動画は、ユーザが物品を自律ロボット車両の中に置くのを記録している。
【００１４】
本開示の一態様において、命令は、１または複数のプロセッサによって実行されると、さらに、システムに、少なくとも１つのメモリ内に動画を格納させる。
【００１５】
本開示のさらなる態様において、ユーザインターフェースを提供する際に、命令は、１または複数のプロセッサによって実行されると、システムに、ユーザインターフェースをユーザのデバイスへ提供させる。
【００１６】
本開示のさらに別の態様において、ユーザインターフェースを提供する際に、命令は、１または複数のプロセッサによって実行されると、システムに、自律車両のディスプレイスクリーンへユーザインターフェースを提供させる。
【００１７】
本開示の態様によれば、移動式のセキュアなロッカーのためのコンピュータにより実行される方法が開示されている。コンピュータにより実行される方法は、ユーザが自律ロボット車両内の移動式のセキュアなロッカーを借りるためのユーザインターフェースを提供し、第１目的地、第２目的地、および、第２目的地に関連付けられている時刻を含む情報を、ユーザインターフェースを介してユーザから受信し、第１目的地へ移動して物品を受け取るよう、自律ロボット車両へ命令を通信し、物品を受け取った旨の示唆を自律ロボット車両から受信し、第２目的地に移動して第２目的地に関連付けられている時刻に物品を配達するよう、自律ロボット車両へ命令を通信し、物品が回収された旨の示唆を自律ロボット車両から受信することを、を備える。
【００１８】
本開示の一態様において、コンピュータにより実行される方法は、さらに、自律ロボット車両から動画を受信することを備え、その動画の記録は、物品の回収を含む。
【００１９】
本開示の別の態様において、コンピュータにより実行される方法は、さらに、動画を格納することを備える。
【００２０】
本開示のさらなる態様において、コンピュータにより実行される方法は、さらに、ユーザに対応するバイオメトリックデータに基づいて、移動式のセキュアなロッカーをロック解除することを備える。
【００２１】
本開示のさらにまた別の態様において、コンピュータにより実行される方法は、さらに、ユーザを識別する情報を入力するためのユーザインターフェースを提供し、ユーザインターフェースを介してユーザからユーザ識別情報を受信すること、を備える。
【００２２】
本開示のさらに別の態様において、コンピュータにより実行される方法は、さらに、物品を自律ロボット車両から回収する目的でユーザがさらなる情報を入力するためのユーザインターフェースを提供し、ユーザの現在位置を含むさらなる情報をユーザインターフェースから受信し、第２目的地をユーザの現在位置に変更し、ユーザの現在位置に移動して物品をユーザに配達するよう、自律ロボット車両へ命令を通信すること、を備える。
【００２３】
本開示のさらなる態様において、ユーザを識別する示唆は、ＰＩＮ、ＲＦＩＤ、声、顔認識、または、モバイルデバイス上の所定のコード、の内の少なくとも１つを含む。
【００２４】
本開示の一態様において、コンピュータにより実行される方法は、さらに、第２位置でユーザのアイデンティティを確認した旨の示唆を自律ロボット車両から受信することを備え、確認は、ユーザ識別情報に基づいて実行される。
【００２５】
本開示のさらなる態様において、方法は、さらに、ユーザインターフェースをユーザのデバイスへ提供することを備える。
【００２６】
本開示のさらにまた別の態様において、方法は、さらに、ユーザインターフェースを自律車両のディスプレイスクリーンへ提供することを備える。
【００２７】
本開示の典型的な実施形態のさらなる詳細および態様については、添付の図面を参照しつつ以下で詳述する。
【００２８】
参照による引用
本明細書で言及するすべての出版物、特許、および、特許出願は、各出版物、特許、または、特許出願が、参照によって組み込まれることを具体的かつ個々に示された場合と同じ程度まで、参照によって本明細書に組み込まれる。
【図面の簡単な説明】
【００２９】
開示された技術が利用されている実施形態を説明する以下の詳細な説明と、添付の図面とを参照することで、本技術の特徴および利点のより良い理解が得られる。
【００３０】
【図１】フリートまたはサブフリート内の各車両に実体のブランドを付けることができる自律ロボットフリートを例示する図。
【００３１】
【図２】車両内のセキュアなコンパートメントを示す、自律ロボットフリートの一部であるロボット車両の等角図。
【００３２】
【図３】平均的な人の身長と比較して示す、自律ロボットフリートの一部であるロボット車両の正面図。
【００３３】
【図４】各々がセキュアなコンパートメントを閉じる２つの大きいサイドドアを備えた構成を示す、自律ロボットフリートの一部であるロボット車両の右側面図。
【００３４】
【図５】平均的な人の身長と比較して示す、自律ロボットフリートの一部であるロボット車両の左側面図。
【００３５】
【図６】自律ロボットフリートの一部であるロボット車両の後面図。
【００３６】
【図７】任意のブランド企業のための自律型ランチ配達車両を示す、自律ロボットフリートの一部であるロボット車両の等角図。
【００３７】
【図８】任意のブランド企業のための自律型ピザ配達車両を示す、自律ロボットフリートの一部であるロボット車両の等角図。
【００３８】
【図９】任意のブランド企業のための自律型コーヒー配達車両を示す、自律ロボットフリートの一部であるロボット車両の等角図。
【００３９】
【図１０】照明付きの内部を備えた任意のブランド企業のための自律型夕方／夜間配達車両を示す、自律ロボットフリートの一部であるロボット車両の等角図。
【００４０】
【図１１】ロボットフリートのための中央サーバに関連するフリート管理制御モジュールのためのロジックを示すフローチャート。
【００４１】
【図１２】フリート管理制御モジュールからロボットプロセッサを介してロボットの様々なシステムおよびモジュールに至るロジックの流れを示すフローチャート。
【００４２】
【図１３】移動式のセキュアなロッカーを提供するための方法を示すフローチャート。
【発明を実施するための形態】
【００４３】
本開示は、完全自律型および／または半自律型ロボットフリートに関し、特に、開放的な非構造化屋外環境または閉鎖環境のいずれかで配達物を輸送または回収するためのロボット車両に関する。
【００４４】
本明細書では、完全自律的または半自律的に動作するロボット車両と、ロボットフリートの調整のためのフリート管理モジュールとを有するロボットフリートが提供されており、ここで、フリート内の各ロボットは、商品またはサービスを輸送、配達、または、回収するよう構成され、非構造化開放または閉鎖環境内で動作できる。各ロボットは、電力システムと、輸送システムと、ナビゲーションモジュールと、物品を保持するための少なくとも１つのセキュアな、すなわち、安全な、または、セキュリティ保護可能な、コンパートメントまたは複数のセキュアなコンパートメントと、割り当て可能な顧客、市場内の顧客グループ、または、提供者に、セキュアなコンパートメントの各々を関連付け、許可された時にエントリ（利用）を許すよう構成されているコントローラと、通信モジュールと、輸送システム、ナビゲーションモジュール、センサシステム、通信モジュール、および、コントローラを管理するよう構成されているプロセッサと、を備えうる。
【００４５】
本明細書で用いられているように、「自律的」という用語は、完全自律、半自律、および、車両が人の介在なしに或る期間にわたって制御された方法で移動または動作できる任意の構成、を含む。
【００４６】
本明細書で用いられているように、「フリート」、「サブフリート」などの用語は、一緒に動作するかまたは同じ所有者の下で動作する複数の陸上車両、船舶、または、飛行機を示すために用いられる。いくつかの実施形態において、フリートまたはサブフリートは、同じ活動に従事する。いくつかの実施形態において、フリートまたはサブフリートは、同様の活動に従事する。いくつかの実施形態において、フリートまたはサブフリートは、異なる活動に従事する。
【００４７】
本明細書で用いられているように、「ロボット」、「ロボット車両」、「ロボットフリート」、「車両」、「全地形対応車」などの用語は、貨物、物品、および／または、商品を輸送する移動機械を示すために用いられる。典型的な車両は、乗用車、ワゴン、バン、無人自動車（例えば、三輪車、トラック、トレーラー、バスなど）、無人列車（例えば、列車、路面電車など）、無人船舶（例えば、船、ボート、フェリー、上陸用舟艇、荷船、いかだなど）、空中ドローン、無人ホバークラフト（空中、陸上、および、水上タイプ）、無人飛行機、および、無人宇宙船までも含む。
【００４８】
本明細書で用いるように、「コンパートメント」という用語は、隔室にアクセスするための専用ドアを車両の外部に有するロボット車両の内部隔室を示すために用いられ、隔室内に固定されたインサート（挿入物）のことも指す。「サブコンパートメント」という用語は、一般に、コンパートメントの細分区画または一部を示すために用いられる。コンパートメントまたはサブコンパートメントの文脈で用いられる時、「モジュール」という用語は、１または複数のコンパートメントまたはサブコンパートメントを示すために用いられてよい。
【００４９】
本明細書で用いられているように、「ユーザ」、「オペレータ」、「フリートオペレータ」などの用語は、ロボットフリートを所有するか、または、管理および操作する責任のある実体を指すために用いられる。
【００５０】
本明細書で用いられているように、「顧客」という用語は、ロボットフリートを条件としてサービスを要求する実体を指すために用いられる。
【００５１】
本明細書で用いられているように、「提供者」、「企業」、「販売業者」、「サードパーティ販売業者」などの用語は、ロボットフリートのサービスを利用して、提供者の事業拠点または中継地から提供者の製品を配達する、および／または、そこへ製品を返送するために、フリートの所有者またはオペレータと協調して働く実体を示すために用いられる。
【００５２】
本明細書で用いられているように、「サーバ」、「コンピュータサーバ」、「中央サーバ」、「メインサーバ」などの用語は、フリート資源（すなわち、ロボット車両）を管理するネットワーク上のコンピュータまたはデバイスを示すために用いられる。
【００５３】
本明細書で用いられているように、「コントローラ」などの用語は、コンピュータから周辺デバイスへ、および、その逆への、データの転送を制御するデバイスを示すために用いられる。例えば、ディスクドライブ、ディスプレイスクリーン、キーボード、および、プリンタはすべて、コントローラを必要とする。パーソナルコンピュータにおいては、コントローラは、しばしば、シングルチップである。本明細書で用いられているように、コントローラは、一般に、ロボットの構成要素（セキュアなコンパートメントなど）へのアクセスを管理するために用いられる。
【００５４】
本明細書で用いられているように、「メッシュネットワーク」は、各ノードがネットワークのためのデータを中継するネットワークトポロジである。すべてのメッシュノードが、ネットワークにおけるデータの分配に協力する。有線および無線ネットワークの両方に適用されうる。無線メッシュネットワークは、或る種の「無線アドホック」ネットワークと見なすことができる。したがって、無線メッシュネットワークは、モバイルアドホックネットワーク（ＭＡＮＥＴ）と密接に関連している。ＭＡＮＥＴは、特定のメッシュネットワークトポロジに制限されず、無線アドホックネットワークまたはＭＡＮＥＴは、任意の形態のネットワークトポロジを取りうる。メッシュネットワークは、フラッディング技術またはルーティング技術のいずれかを用いてメッセージを中継できる。ルーティングでは、メッセージは、その宛先に到達するまで、ノードからノードへホッピングすることによって、パスに沿って伝搬される。そのパスのすべてが利用可能であることを保証するために、ネットワークは、連続的な接続を可能にすると共に、自己修復アルゴリズム（最短パスブリッジングなど）を用いて、壊れたパスの周りで自身を再構成しなければならない。自己修復は、ノードが壊れた場合、または、接続が信頼できなくなった場合に、ルーティングベースのネットワークが動作することを可能にする。結果として、しばしば、ネットワーク内でのソースと宛先との間に２以上の経路があるので、ネットワークは、通例、かなり信頼できるようになる。この概念は、有線ネットワーク、および、ソフトウェアのやりとり（相互作用）にも適用できる。ノードすべてが互いに接続されているメッシュネットワークが、完全に接続されたネットワークである。
【００５５】
本明細書で用いられているように、「モジュール」などの用語は、中央サーバの内蔵ハードウェアコンポーネントを示すために用いられ、中央サーバは、ソフトウェアモジュールを備える。ソフトウェアにおいて、モジュールは、プログラムの一部である。プログラムは、プログラムがリンクされるまで組み合わせられない１または複数の独立して開発されたモジュールで構成される。単一のモジュールが、１または複数のルーチン、すなわち、特定のタスクを実行するプログラムのセクション、を含みうる。本明細書で用いられているように、フリート管理モジュールは、ロボットフリートの様々な側面および機能を管理するためのソフトウェアモジュールを備える。
【００５６】
本明細書で用いられているように、「プロセッサ」、「デジタル処理デバイス」などの用語は、マイクロプロセッサまたは中央処理装置（ＣＰＵ）を示すために用いられる。ＣＰＵは、命令によって特定される四則演算、論理、制御、および、入力／出力（Ｉ／Ｏ）動作を実行することにより、コンピュータプログラムの命令を実行するコンピュータ内の電子回路である。
【００５７】
本明細書の記載によれば、適切なデジタル処理デバイスは、非限定的な例として、サーバコンピュータ、デスクトップコンピュータ、ラップトップコンピュータ、ノートブックコンピュータ、サブノートブックコンピュータ、ネットブックコンピュータ、ネットパッドコンピュータ、セットトップコンピュータ、ハンドヘルドコンピュータ、インターネット家電、モバイルスマートフォン、タブレットコンピュータ、パーソナルデジタルアシスタント、ビデオゲームコンソール、および、車両を含む。当業者であれば、多くのスマートフォンが本明細書に記載のシステムでの利用に適していることがわかる。適切なタブレットコンピュータは、ブックレット、スレート、および、当業者に周知の同義の構成備えたものを含む。
【００５８】
いくつかの実施形態において、デジタル処理デバイスは、実行可能な命令を実行するよう構成されているオペレーティングシステムを備える。オペレーティングシステムは、例えば、プログラムおよびデータを含むソフトウェアであり、デバイスのハードウェアを管理し、アプリケーションの実行のためのサービスを提供する。当業者であれば、適切なサーバオペレーティングシステムは、非限定的な例として、ＦｒｅｅＢＳＤ、ＯｐｅｎＢＳＤ、ＮｅｔＢＳＤ（登録商標）、Ｌｉｎｕｘ、Ａｐｐｌｅ（登録商標）Ｍａｃ  ＯＳ  Ｘ  Ｓｅｒｖｅｒ（登録商標）、Ｏｒａｃｌｅ（登録商標）Ｓｏｌａｒｉｓ（登録商標）、Ｗｉｎｄｏｗｓ  Ｓｅｒｖｅｒ（登録商標）、および、Ｎｏｖｅｌｌ（登録商標）ＮｅｔＷａｒｅ（登録商標）を含むことがわかる。当業者であれば、適切なパーソナルコンピュータオペレーティングシステムは、非限定的な例として、Ｍｉｃｒｏｓｏｆｔ（登録商標）Ｗｉｎｄｏｗｓ（登録商標）、Ａｐｐｌｅ（登録商標）Ｍａｃ  ＯＳ  Ｘ（登録商標）、ＵＮＩＸ（登録商標）、および、ＵＮＩＸ様オペレーティングシステム（ＧＮＵ／Ｌｉｎｕｘ（登録商標）など）を含むことがわかる。いくつかの実施形態において、オペレーティングシステムは、クラウドコンピューティングによって提供される。当業者であれば、適切なモバイルスマートフォンオペレーティングシステムは、非限定的な例として、Ｎｏｋｉａ（登録商標）Ｓｙｍｂｉａｎ（登録商標）ＯＳ、Ａｐｐｌｅ（登録商標）ｉＯＳ（登録商標）、Ｒｅｓｅａｒｃｈ  Ｉｎ  Ｍｏｔｉｏｎ（登録商標）ＢｌａｃｋＢｅｒｒｙ  ＯＳ（登録商標）、Ｇｏｏｇｌｅ（登録商標）Ａｎｄｒｏｉｄ（登録商標）、Ｍｉｃｒｏｓｏｆｔ（登録商標）Ｗｉｎｄｏｗｓ  Ｐｈｏｎｅ（登録商標）ＯＳ、Ｍｉｃｒｏｓｏｆｔ（登録商標）Ｗｉｎｄｏｗｓ  Ｍｏｂｉｌｅ（登録商標）ＯＳ、Ｌｉｎｕｘ（登録商標）、および、Ｐａｌｍ（登録商標）ＷｅｂＯＳ（登録商標）を含むことがわかる。
【００５９】
いくつかの実施形態において、デバイスは、ストレージおよび／またはメモリデバイスを備える。ストレージおよび／またはメモリデバイスは、一時的または永続的にデータまたはプログラムを格納するために用いられる１または複数の物理装置である。いくつかの実施形態において、デバイスは、揮発性メモリであり、格納された情報を維持するために電力を必要とする。いくつかの実施形態において、デバイスは、不揮発性メモリであり、デジタル処理デバイスが電力供給されていない時に、格納された情報を保持する。いくつかの実施形態において、不揮発性メモリは、フラッシュメモリを含む。いくつかの実施形態において、不揮発性メモリは、ダイナミックランダムアクセスメモリ（ＤＲＡＭ）を含む。いくつかの実施形態において、不揮発性メモリは、強誘電体ランダムアクセスメモリ（ＦＲＡＭ（登録商標））を含む。いくつかの実施形態において、不揮発性メモリは、相変化ランダムアクセスメモリ（ＰＲＡＭ）を含む。いくつかの実施形態において、デバイスは、非限定的な例として、ＣＤ−ＲＯＭ、ＤＶＤ、フラッシュメモリデバイス、磁気ディスクドライブ、磁気テープドライブ、光学ディスクドライブ、および、クラウドコンピューティングベースのストレージを含む、ストレージデバイスである。いくつかの実施形態において、ストレージおよび／またはメモリデバイスは、複数のデバイス（本明細書に開示したデバイスなど）の組み合わせである。
【００６０】
いくつかの実施形態において、デジタル処理デバイスは、ユーザに視覚情報を送信するためのディスプレイを備える。いくつかの実施形態において、ディスプレイは、ブラウン管（ＣＲＴ）である。いくつかの実施形態において、ディスプレイは、液晶ディスプレイ（ＬＣＤ）である。いくつかの実施形態において、ディスプレイは、薄膜トランジスタ液晶ディスプレイ（ＴＦＴ−ＬＣＤ）である。いくつかの実施形態において、ディスプレイは、有機発光ダイオード（ＯＬＥＤ）ディスプレイである。様々な実施形態において、ＯＬＥＤディスプレイは、パッシブマトリクスＯＬＥＤ（ＰＭＯＬＥＤ）またはアクティブマトリクスＯＬＥＤ（ＡＭＯＬＥＤ）ディスプレイである。いくつかの実施形態において、ディスプレイは、プラズマディスプレイである。いくつかの実施形態において、ディスプレイは、ビデオプロジェクタである。いくつかの実施形態において、ディスプレイは、ユーザ相互作用／ジェスチャ／応答などを検出できるインタラクティブなディスプレイである（例えば、タッチスクリーン、もしくは、カメラ、３Ｄセンサ、ＬｉＤＡＲ、レーダなどのセンサを有する）。また、いくつかの実施形態において、ディスプレイは、複数のデバイス（本明細書に開示したデバイスなど）の組み合わせである。
【００６１】
ロボット車両のフリート
本明細書では、図１に示すようなロボットフリート１００が提供されており、ロボットフリート１００は、ロボット車両１０１を有しており、各ロボット車両１０１は、完全自律的または半自律的に動作する。
【００６２】
図３〜図６に示すように、ロボット１０１の構成の一例は、陸上走行用に構成されている車両（小型完全自律（または半自律）自動車など）である。完全自律（または半自律）自動車の例は、幅が狭く（すなわち、２〜５フィート（０．６１〜１．５２メートル）幅）、軽量で、安定のために低重心であり、１または複数の顧客、小売業者、および／または、販売業者に割り当て可能な複数のセキュアなコンパートメントを有し、市街および住宅地の運転速度に対応するために中程度の作業速度範囲（すなわち、１．０〜４５．０ｍｐｈ（１．６〜７２．４ｋｍ／ｈ））に向けて設計されている。さらに、いくつかの実施形態において、フリート内の陸上車両ロボットユニットは、高速での州内または州間の運転のために１．０ｍｐｈ〜約９０．０ｍｐｈ（１．６〜１４４．８ｋｍ／ｈ）の最高速度範囲を持つよう構成される。フリート内の各ロボットは、どこに安全に進むことができるのか、どのような他の物体が各ロボットの周りにあるのか、および、何をしてもよいのか、を常に決定するために、オンボードセンサ１７０（例えば、（動画と同様に、高フレームレートで動作する）カメラ、ＬｉＤＡＲ、レーダ、超音波センサ、マイクなど）と、内部コンピュータ処理と、を備える。
【００６３】
いくつかの実施形態において、ロボットフリートは、完全自律型である。
【００６４】
いくつかの実施形態において、ロボットフリートは、半自律型である。いくつかの実施形態において、前もって予測できない問題（例えば、ナビゲーションモジュールとの誤作動、提供者の在庫の問題、不測の交通または道路条件、もしくは、ロボットが顧客の位置に到着した後の直接的な顧客とのやりとり（相互作用））に対処するために、ロボット１０１と、フリートオペレータ２００、提供者２０４、および／または、顧客２０２との間で、人間とのやりとり（相互作用）を行う必要がありうる。
【００６５】
いくつかの実施形態において、ロボットフリート１００は、ユーザ２００によって直接制御される。いくつかの実施形態において、メンテナンスの問題（機械的故障、電気的故障、または、交通事故など）に対処するために、ロボット１０１および／またはフリートオペレータ２００の間で、直接的な人間とのやりとり（相互作用）を行う必要がありうる。
【００６６】
いくつかの実施形態において、ロボットフリートは、陸上走行用に構成される。いくつかの実施形態において、フリート内の各ロボット陸上車両は、１３．０ｍｐｈ〜４５．０ｍｐｈ（２０．９２〜７２．４ｋｍ／ｈ）の作業速度範囲を持つよう構成される。いくつかの実施形態において、フリート内の陸上車両ロボットユニットは、１３．０ｍｐｈ〜約９０．０ｍｐｈ（２０．９２〜１４４．８ｋｍ／ｈ）の最高速度範囲を持つよう構成される。
【００６７】
いくつかの実施形態において、ロボットフリートは、船舶として水上移動用に構成され、１．０ｍｐｈ〜４５．０ｍｐｈ（１．６〜７２．４ｋｍ／ｈ）の作業速度範囲を持つよう構成される。
【００６８】
いくつかの実施形態において、ロボットフリートは、陸上または水上ホバークラフトとしてホバリング移動用に構成され、１．０ｍｐｈ〜６０．０ｍｐｈｈ（１．６〜９６．５６ｋｍ／ｈ）の作業速度範囲を持つよう構成される。
【００６９】
いくつかの実施形態において、ロボットフリートは、空中ドローンまたは空中ホバークラフトとして空中移動用に構成され、１．０ｍｐｈ〜８０．０ｍｐｈ（１．６〜１２８．７４ｋｍ／ｈ）の作業速度範囲を持つよう構成される。
【００７０】
ロボットフリートのいくつかの実施形態において、フリート内の自律ロボットは、サードパーティ販売業者／サービス提供者のために運転される。
【００７１】
例えば、フリート管理サービスが、サードパーティ飲料／食品提供者のための移動配達サービス（例えば、サードパーティ販売業者（すなわち、スターバックス）のためのコーヒーサービス／体験）を提供するために構築される。フリート管理サービスは、完全自律的または半自律的のいずれかで動作してこのサービスを提供するように、サードパーティ飲料／食品提供者のロゴおよび製品を運ぶ「ホワイトラベル」車両のサブフリートを提供することが想定される。
【００７２】
ロボットフリートのいくつかの実施形態において、フリート内の自律ロボットは、さらに、自律ロボットのサブフリートの一部であるように構成され、各サブフリートは、独立的に、または、２以上のサブフリート（１００−ａ、１００−ｂ）を有する複数のサブフリートとタンデムで動作するよう構成される。
【００７３】
例えば、荷物配達サービスは、「即時専用急行サービス」、「午前／午後配達保証サービス」、または、「一般配達サービス」など、複数レベルサービスを提供するよう構成される。そして、サービス提供者は、車両フリート全体の中で、サービスの各タイプに専用の配達車両のサブフリートを持つことができる。さらに別の例では、サードパーティが、フリート内の特定数の車両の優先権を有する。そうすることで、特定レベルの応答性を保証できる。それらのサードパーティが車両を利用しない時、車両は、フリート内の一般サービスに（例えば、他のサードパーティのために）利用される。
【００７４】
いくつかの実施形態において、ロボットフリートは、ユーザによって直接制御される。
【００７５】
いくつかの実施形態において、車両が故障した場合、内部システムまたはモジュールの故障を有する場合、または、メンテナンスの必要がある場合がありうる。例えば、ナビゲーションモジュールが故障した場合、フリート内の各ロボットは、修理のために基地ステーションへ車両を安全に帰還させることができるように、フリートオペレータによる輸送システムセンサシステム（すなわち、カメラなど）のオーバーライド操作に向けてロボットのプロセッサの直接制御を可能にするよう構成可能である。
【００７６】
動作環境
いくつかの実施形態において、非構造化開放環境は、通行可能な経路によってアクセス可能な閉ざされていない地理的領域であり、例えば、公道、私道、自転車専用道路、野原、公開公有地、公開私有地、歩道、湖、河川、または、水路を含む。
【００７７】
いくつかの実施形態において、閉鎖環境は、通行可能な経路によってアクセス可能な閉じられた、閉鎖的、または、半閉鎖的な構造であり、例えば、構造または障害物が存在しまたは存在しない商業施設内の開放的な領域または部屋、構造または障害物が存在しまたは存在しない商業施設内の開放的な領域または部屋の中の空間、公的または専用通路、廊下、トンネル、ランプ、エレベータ、コンベヤ、または、歩道を含む。
【００７８】
いくつかの実施形態において、非構造化開放環境は、対流圏、成層圏、中間圏、熱圏、および、外気圏など地球の大気のすべての主要な層を含む閉ざされていない空域または宇宙に近い環境である。
【００７９】
いくつかの実施形態において、ナビゲーションモジュールは、非構造化開放または閉鎖環境においてフリート内のロボットの輸送システムのルーティングを制御する。
【００８０】
フリート管理モジュール
ロボットフリート１００のいくつかの実施形態において、フリートは、ロボットフリート１００の調整およびフリート内の各ロボット１０１へのタスクの割り当てのために（中央サーバに関連する）フリート管理モジュール１２０を備える。フリート管理モジュールは、フリート内の各ロボットの活動および配置を調整する。ロボットフリート、フリート所有者／オペレータ、および／または、ユーザとの通信に加えて、フリート管理モジュールは、システム全体の挙動を最適化するために、提供者／販売業者／企業および顧客とも通信する。
【００８１】
フリート管理モジュールは、フリート所有者２００によって所有または管理される中央運営施設に通例は配置される中央サーバ１１０と協働する。
【００８２】
図１１に示すように、一実施形態において、メインサーバ１１０（通例は、フリート所有者の位置またはフリート管理者の位置に配置される）に要求が送信され、次いで、メインサーバは、フリート管理モジュール１２０と通信する。次いで、フリート管理モジュールは、サービスの適切な提供者２０４（例えば、レストラン、デリバリサービス、販売業者、または、小売業者）と、フリート内の適切なロボット１０１とに、要求を中継する。次いで、地理的領域内のフリートの中で通例はサービス提供者に最も近い１または複数の最適なロボットが、タスクを割り当てられ、その後、サービスの提供者２０４は、事業所でそのロボット１０１とやりとり（相互作用）する（例えば、必要であれば、ロボットに商品を積み込む）。次いで、ロボットは、顧客２０２の所まで移動し、顧客は、商品またはサービス（例えば、注文した商品）を受け取るためにロボットと相互作用する。相互作用は、顧客のアプリを介してまたはロボット自身のユーザインターフェースを介して（例えば、ＲＦＩＤリーダおよび顧客の電話、タッチパッド、キーパッド、音声コマンド、視覚ベースの個人認識などを用いて）、そのコンパートメント１０２、１０４を開くようロボットに要求することを含みうる。配達（または、適切であれば、回収）が完了すると、ロボットは、任務の完了を報告し、再割り当てに向けてフリート管理モジュールに報告を返す。
【００８３】
上述し、図１２でさらに示すように、いくつかの実施形態において、フリート管理モジュール１２０は、ロボットフリート１００の調整およびフリート内の各ロボット１０１へのタスクの割り当てを扱う。フリート管理モジュールは、フリート内の各ロボットの活動および配置を調整する。また、フリート管理モジュールは、システム全体の挙動を最適化するために、販売業者／企業２０４および顧客２０２と通信する。フリート管理モジュールは、ロボットのプロセッサ１２５を利用して、フリート内の各ロボットの様々な機能を効果的に管理および調整するように、ロボットのシステムおよびモジュール（輸送システム１３０、電力システム１３５、ナビゲーションモジュール１４０、センサシステム１７０、１７５、通信モジュール１６０、および、コントローラ１５０など）の各々からの様々な入力および出力を処理することによって、この通信を行う。
【００８４】
いくつかの実施形態において、ロボットは、別の当事者へ配達する目的で物品（例えば、文書）の受け取りを要求されうる。このシナリオにおいて、フリート管理モジュールは、特定の位置に行くようロボットを割り当て、物品の受け取りのためのセキュアなコンパートメントを割り当て、第１当事者からフリート管理モジュールへの受け取りを確認し、その後、第２位置に進み、そこで、情報を得た受け取り側が、適切なＰＩＮまたはその他の認識コードを用いてセキュアなコンパートメントへアクセスすることでロボットから物品を回収する。次いで、ロボットは、任務の完了を報告し、再割り当てに向けてフリート管理モジュールに報告を返す。
【００８５】
輸送システム
フリート内の各ロボット車両１０１は、輸送システム１３０（例えば、推進エンジン、車輪、無限軌道、翼、ロータ、ブロワ、ロケット、プロペラ、ブレーキなどを備えた駆動システム）を備える。
【００８６】
上述のように、ロボットフリートは、陸上、水上、または、空中用に構成可能である。典型的な車両は、乗用車、ワゴン、バン、無人自動車（例えば、三輪車、トラック、トレーラー、バスなど）、無人列車（例えば、列車、路面電車など）、無人船舶（例えば、船、ボート、フェリー、上陸用舟艇、荷船、いかだなど）、空中ドローン、無人ホバークラフト（空中、陸上、および、水上タイプ）、無人飛行機、および、無人宇宙船を含む。
【００８７】
典型的な一実施形態では、ロボット陸上車両１０１が、従来のステアリングシステムおよびブレーキシステムを備えた従来の四輪自動車構成で構成される。駆動系は、標準的な二輪駆動または四輪オールテレーン駆動のために構成可能である。推進システム（エンジン）は、ガスエンジン、タービンエンジン、電気モータ、および／または、ハイブリッドガス／電気エンジンとして構成可能である。あるいは、ロボットは、バックアップ非常用電力または小規模低電力サブシステムのための電力を供給するために補助太陽光発電システム１３５を備えるよう構成されてもよい。
【００８８】
推進エンジンを備えたトータル駆動システムに代わる構成要素の別の構成は、車輪、無限軌道、翼、ロータ、ブロワ、ロケット、プロペラ、ブレーキなどを備えてもよい。
【００８９】
いくつかの実施形態において、ロボットフリートは、ガスエンジン、タービンエンジン、電気モータ、および／または、ハイブリッドガス／電気エンジンとして構成可能であると共にプロペラを備えるようさらに構成される推進システム（エンジン）を備えた船舶として水上移動用に構成される。
【００９０】
いくつかの実施形態において、ロボットフリートは、陸上または水上ホバークラフトすなわちエアクッション艇（ＡＣＶ）としてホバリング移動用に構成され、大気圧を若干超える大量の空気を船体の下に生み出すブロワを備えるよう構成される。推進システム（エンジン）は、ガスエンジン、タービンエンジン、電気モータ、および／または、ハイブリッドガス／電気エンジンとして構成可能である。
【００９１】
いくつかの実施形態において、ロボットフリートは、空中ドローンまたは空中ホバークラフトとして空中移動用に構成され、翼、ロータ、ブロワ、ロケット、および／または、プロペラと、適切なブレーキシステムとを備えるよう構成される。推進システム（エンジン）は、ガスエンジン、タービンエンジン、電気モータ、および／または、ハイブリッドガス／電気エンジンとして構成可能である。
【００９２】
電力システム
いくつかの実施形態において、ロボットフリートの各ロボットは、１または複数の電源を備えるよう構成され、電源は、電力システム１３５（例えば、バッテリ、ソーラ、ガソリン、プロパンなど）を含む。
【００９３】
ナビゲーションモジュール
フリート内の各ロボットは、さらに、非構造化開放環境または閉鎖環境内でのナビゲーションのためのナビゲーションモジュール１４０（例えば、デジタルマップ、ＨＤマップ、ＧＰＳなど）を備える。いくつかの実施形態において、フリート１００は、ユーザ、オペレータ、または、フリートオペレータによって生成された、具体手には、ロボットがそこで動作するよう構成されている意図した環境を網羅するように作成されたマップに頼る。そうして、これらのマップは、フリート内の各ロボットの全般的な誘導に用いられ、ロボットは、様々なオンボードセンサ（カメラ、ＬｉＤＡＲ、高度計、または、レーダなど）を用いて、その相対地理位置および高度を確認することによって、この環境の理解を補う。
【００９４】
いくつかの実施形態において、ナビゲーションのために、ロボットのフリートは、内部マップを利用して、ロボットが進んでいる場所および道路環境の構造（例えば、レーンなど）に関する情報を提供し、この情報をオンボードセンサ（例えば、カメラ、ＬｉＤＡＲ、レーダ、超音波、マイクなど）および内部コンピュータ処理と組み合わせて、ロボットがどこに安全に進むことができるのか、どのような他の物体が各ロボットの周りにあるのか、および、何をしてもよいのか、を常に決定する。さらに別の実施形態において、フリートは、オンラインマップを組み込んで、内部マップを増補する。次いで、この情報は、ロボットがたどるための安全でロバストな軌道を決定するために組み合わせられ、その後、これは、ロボット上の低レベルアクチュエータによって実行される。
【００９５】
いくつかの実施形態において、フリートは、陸上、海上、空中のユーザが、２４時間、すべての天候条件で、世界中のどこでも、正確な位置、速度、および、時間を決定することを可能にするグローバルポジショニングシステム（ＧＰＳ）に依存する。
【００９６】
いくつかの実施形態において、ロボットのフリートは、内部マップ、センサ、および、ＧＰＳシステムの組み合わせを用いて、相対的な地理位置および高度を確認する。
【００９７】
いくつかの実施形態において、自律フリートは、既知の需要を予期して、地位的領域にわたって戦略的に配置される。
【００９８】
時間と共に、ユーザ２００および／または販売業者２０４は、領域の様々な地域から、一日の特定の時間に、どれだけの注文（およびどのようなタイプの注文）がなされたかに関するデータを蓄積することによって、ロボットサービスへの需要を予測できるようになる。これは、ソース（例えば、レストラン、食料品店、一般企業など）および宛先（例えば、顧客、他の企業など）の両方に対してなされうる。次いで、特定の現在日時について、この蓄積されたデータを用いて、予測された需要を所与としてフリートの最適な位置がどこであるかを決定する。より具体的には、予測されたソース位置が、システムに新しい注文の入る可能性が最も高い位置であることを予期して、それらのソース位置の可能な限り近くにフリートを配置することができる。さらにより具体的には、その後の１時間に各可能なソースからの注文回数を評価し、この回数で各ソース位置に重み付けすることが可能である。そうして、フリートがこれらの回数に基づいて重み付けされた位置を最適に網羅するように、フリートを配置することができる。
【００９９】
ロボットフリートのいくつかの実施形態において、ロボットの配置は、以下に基づいてカスタマイズできる。利用予測、行動履歴のパターン、または、運ばれている具体的な商品。
【０１００】
センサシステム
上述のように、各ロボットは、どこに安全に進むことができるのか、どのような他の物体が各ロボットの周りにあるのか、および、すぐ周辺の範囲内で何をしてもよいのか、を常に決定するために、最低限の数のオンボードセンサ（例えば、カメラ（例えば、ビデオと同様に、高フレームレートで動作するカメラ）、ＬｉＤＡＲ、レーダ、超音波センサ、マイクなど）を含むセンサシステム１７０と、内部計算処理１２５と、を備える。
【０１０１】
いくつかの実施形態において、ロボットフリートのロボットは、さらに、輸送システムセンサ１７５を備えており、輸送システムセンサ１７５は、駆動メカニズムの性能（例えば、推進エンジン）を監視するように、電力システムレベル１３５（例えば、バッテリ、ソーラ、ガソリン、プロパンなど）を監視するように、もしくは、駆動系の性能（例えば、トランスミッション、タイヤ、ブレーキ、ロータなど）を監視するように構成される。
【０１０２】
通信モジュール
フリート内の各ロボットは、さらに、フリート管理モジュールに対して、ユーザに対して、フリート管理モジュール１２０との間で、フリート１００内のロボットとの間で、データを受信、格納、および、送信するよう構成可能な通信モジュール１６０を備える。いくつかの実施形態において、データは、例えば、スケジュールされた要求または注文、オンデマンドの要求または注文、もしくは、非構造化開放または閉鎖環境内で予測される需要に基づいたロボットフリートの自己ポジショニングの必要性など、少なくともユーザのやりとり（相互作用）およびロボットフリートのやりとり（相互作用）に関連する。
【０１０３】
いくつかの実施形態において、フリート内の各ロボットは、データを受信、格納、および、送信するよう、ならびに、将来的なデータ転送または手動ダウンロードのためにメモリデバイスにそのデータを格納するよう構成可能な少なくとも１つの通信モジュールを備える。
【０１０４】
いくつかの実施形態において、各企業２０４および顧客２０２は、フリートオペレータ２００と通信するための自身のアプリ／インターフェース（例えば、電話上にある顧客用の「Ｎｕｒｏ  ｃｕｓｔｏｍｅｒ  ａｐｐ」、タブレットまたは電話または内部コンピュータシステム上にあるビジネス用の「Ｎｕｒｏ  ｖｅｎｄｏｒ  ａｐｐ」など）を有する。
【０１０５】
いくつかの実施形態において、ユーザおよびフリート内のロボットへの、フリートのロボット間の、ならびに、ユーザとフリート内のロボットとの間の通信は、無線伝送で行われる。
【０１０６】
いくつかの実施形態において、ユーザの無線伝送のやりとり（相互作用）およびロボットフリートの無線伝送のやりとり（相互作用）は、モバイルアプリケーションを介して行われ、電子デバイスによって送信されて、中央サーバ、フリート管理モジュール、および／または、メッシュネットワークを介して通信モジュールに転送される。
【０１０７】
いくつかの実施形態において、１つの好ましい通信方法は、フリート管理者とロボットのフリートとの間でセルラー通信（例えば、３Ｇ、４Ｇ、５Ｇなど）を用いる方法である。あるいは、フリート管理モジュールとロボットとの間の通信は、衛星通信システムを介してなされてもよい。
【０１０８】
いくつかの実施形態において、顧客は、（携帯電話、ラップトップ、タブレット、コンピュータ、または、任意のインタラクティブデバイスのいずれかの上の）アプリを用いて、サービス（例えば、オンデマンド食品注文、または、移動店舗ロボットを呼ぶ注文）を要求する。
【０１０９】
いくつかの実施形態において、電子デバイスは、以下を含む。電話、個人用モバイルデバイス、パーソナルデジタルアシスタント（ＰＤＡ）、メインフレームコンピュータ、デスクトップコンピュータ、ラップトップコンピュータ、タブレットコンピュータ、および／または、ウェアラブルコンピュータデバイス（通信ヘッドセット、スマートメガネ、コンタクトレンズ、デジタル時計、ブレスレット、リング、ジュエリー、または、それらの組みあわせなど）。
【０１１０】
商品およびサービス
いくつかの実施形態において、ユーザは、フリート管理者、下請け販売業者、サービス提供者、顧客、企業体、個人、または、サードパーティを含む。
【０１１１】
いくつかの実施形態において、サービスは、以下を含む。定期購入サービス、処方サービス、マーケティングサービス、広告サービス、通知サービス、もしくは、要求、発注、または、スケジュールされた配達サービス。特定の実施形態において、スケジュールされた配達サービスは、例として、食料品、処方薬、飲料、手紙、文書など、特別な繰り返しの配達を含む。
【０１１２】
いくつかの実施形態において、サービスは、さらに、以下を含む。ユーザが、同じやりとり（相互作用）（例えば、署名された文書）の範囲内で同じまたは類似の商品を受け取って返品するサービス、ユーザが、同じやりとり（相互作用）の範囲内で１セットの商品を受け取り、別のセットの商品を返すサービス（例えば、製品の交換／返品、食料品、商品、書籍、記録、動画、映像、支払い取引など）、サードパーティユーザが、別の位置の原理ユーザへの商品を準備、輸送、配達、および／または、回収するように、商品またはサービスの提供者に指示および／または許可を与えるサービス。
【０１１３】
いくつかの実施形態において、サービスは、さらに、以下を含む。広告サービス、土地測量サービス、パトロールサービス、監視サービス、交通調査サービス、標識および信号調査サービス、建築構造物または道路のインフラ調査サービス。
【０１１４】
いくつかの実施形態で、少なくとも１つのロボットが、さらに、商品を処理または加工するよう構成される。
【０１１５】
いくつかの実施形態において、処理または加工される商品は、以下を含む。調味料を入れるまたは入れない飲料（コーヒー、紅茶、炭酸飲料など）、様々なファストフード、もしくは、電子レンジ食品。
【０１１６】
いくつかの実施形態において、フリート内のロボットには、金融取引のための機能が装備される。これらは、デビット／クレジットカードリーダなど周知の取引方法を用いて達成されうる。
【０１１７】
セキュアなコンパートメント
図２に示すように、フリート内のロボットは各々、商品またはサービスを輸送、配達、または、回収するために構成され、非構造化開放環境または閉鎖環境内で動作できる。いくつかの実施形態において、車両１０１は、小型の全地形対応車が陸上で移動できるどのような場所でも実際的に移動するよう構成される一方で、少なくとも１つ、好ましくは２つの大きい収納コンパートメント１０２を提供し、より好ましくは、少なくとも１つの大きいコンパートメント１０２は、配達されるまたは顧客から回収する必要のある個々の物品を運ぶために、可変構成の小さい内部セキュアなコンパートメント１０４を備えるよう構成される。
【０１１８】
あるいは、いくつかの実施形態において、車両は、水上移動用に構成されてもよく、少なくとも１つ、好ましくは２つの大きい収納コンパートメントを提供し、より好ましくは、少なくとも１つの大きいコンパートメントは、配達されるまたは顧客から回収する必要のある個々の物品を運ぶために、可変構成の小さい内部セキュアなコンパートメントを備えるよう構成される。
【０１１９】
さらにまた、いくつかの実施形態において、車両１０１は、ホバリング移動用に構成されてもよく、少なくとも１つ、好ましくは２つの大きい収納コンパートメントを提供し、より好ましくは、少なくとも１つの大きいコンパートメントは、配達されるまたは顧客から回収する必要のある個々の物品を運ぶために、可変構成の小さい内部セキュアなコンパートメントを備えるよう構成される。
【０１２０】
いくつかの実施形態において、車両１０１は、空中ドローンまたは空中ホバリング移動用に構成されてもよく、少なくとも１つ、好ましくは２つの大きい収納コンパートメントを提供し、より好ましくは、少なくとも１つの大きいコンパートメントは、配達されるまたは顧客から回収する必要のある個々の物品を運ぶために、可変構成の小さい内部セキュアなコンパートメントを備えるよう構成される。
【０１２１】
図７〜図１０に示すように、いくつかの実施形態において、セキュアなコンパートメントは、例えば、温かい商品、冷たい商品、湿った商品、乾いた商品、もしくは、それらの組みあわせまたは変形例のために湿度および温度が制御される。さらに、図８〜図１０に示すように、１または複数のコンパートメントは、夜間配達用のコンパートメント照明および調味料ディスペンサなど、様々なアメニティを備えるよう構成可能である。
【０１２２】
いくつかの実施形態において、セキュアなコンパートメントは、様々な商品用に構成可能である。かかる構成および商品は、以下を含む。書籍のための本棚、文書のための薄い引き出し、小包のための大型の箱状の引き出し、ならびに、ベンディングマシン、コーヒーメーカー、ピザオーブン、および、ディスペンサにサイズを合わせたコンパートメント。
【０１２３】
いくつかの実施形態において、セキュアなコンパートメントは、以下に基づいて可変的に構成可能である。予測される需要、行動のパターン、サービスエリア、または、輸送される商品のタイプ。
【０１２４】
さらにまた、各ロボットは、上述の商品、または、上述のサービスに関連する物品を保持するためのセキュアなコンパートメントと、セキュアなコンパートメント１０２、１０４の各々を割り当て可能な顧客２０２または提供者２０４に関連付け、許可された時にエントリ（利用）を許すよう構成可能なコントローラ１５０と、を備え、各ロボット車両は、さらに、輸送システム、ナビゲーションモジュール、センサシステム、フリート管理モジュールからの命令、通信モジュール、および、コントローラを管理するよう構成されている少なくとも１つのプロセッサを備える。
【０１２５】
上述のように、各ロボットは、セキュアなコンパートメントを備えるよう構成される。あるいは、ロボットが、１セットの商品、または、移動店舗（ホテルのミニバーのようなもの）をも含むよう構成可能である。
【０１２６】
ロボットが顧客２０２に割り当てられると、コンパートメント１０２、１０４の内の１または複数も、その顧客に割り当てられる。大きいコンパートメント１２の各々が別個に確保され、別個のセットの顧客２０２へ安全に商品を輸送できる。
【０１２７】
顧客の宛先にロボットが到着すると、顧客は、ロボットで身元確認を行うことによって、それぞれのコンパートメントを開くことができる。これは、以下を含むがそれらに限定されない様々なアプローチを介してなされうる。
１．顧客は、最初の要求／注文をする時に、ＰＩＮ（例えば、４桁の数字）を与えられうる。そうして、顧客は、ロボットのタッチスクリーンまたはキーパッドを用いてロボットにこのｐｉｎを入力できる。
２．顧客は、携帯電話およびロボット上のＲＦＩＤリーダを用いて本人確認を行うことができる。
３．顧客は、ロボットに話しかける声と個人のキーワードまたはキーフレーズとを用いて本人確認を行うことができる。
４．顧客は、ロボット上のカメラおよび顔認証もしくは磁気リーダを用いて、顔、政府ＩＤ、または、ビジネスＩＤバッチを通じて本人確認を行うことができる。
５．顧客は、電話上のボタンまたは所定のコードを押すことで、携帯電話を用いて本人確認を行うことができる。（そして、システムは、電話からのＧＰＳ位置を用いて、顧客がロボットの近くにいることを任意選択的に検出できる）。
【０１２８】
ここで、図１３を参照すると、移動式のセキュアなロッカーシステムを動作させる方法１３００のフローチャートが示されている。当業者であれば、図に示す方法１３００の１以上の動作が、本開示の範囲から逸脱せずに、異なる順序で実行されてもよい、繰り返されてもよい、および／または、省略されてもよいことがわかる。様々な実施形態において、図の方法１３００は、図１１の中央サーバ１１０、フリート管理モジュール１２０、もしくは、別のサーバまたはシステムで動作しうる。様々な実施形態において、図の方法１３００の動作の一部または全部が、ロボット車両１０１で（図１２の構成要素を用いるなどして）動作しうる。その他の変形例が、本開示の範囲内で想定される。
【０１２９】
最初に、工程１３０２において、移動式のセキュアなロッカーのためのシステムは、ユーザが自律ロボット車両１０１内の移動式のセキュアなロッカーを借りるためのユーザインターフェースを提供する。例えば、このインターフェースは、モバイルデバイス上のアプリ上で、ウェブアプリ上で、ウェブブラウザ上で、キオスク（ｋｉｏｓｋ）で、または、自律車両のディスプレイスクリーン上で、ユーザに提供されてよい。様々な実施形態において、自律ロボット車両１０１は、ユーザのデバイスと通信するよう構成されてよい。様々な実施形態において、ユーザインターフェースは、モバイルデバイス上に、または、自律ロボット車両１０１のディスプレイ上に表示されてよい。ディスプレイは、タッチスクリーンであってよい。
【０１３０】
工程１３０４において、システムは、第１目的地、第２目的地、および、第２目的地に関連付けられている時刻を含む情報をユーザインターフェースを介してユーザから受信する。例えば、第１目的地は、ユーザの現在位置であってよく、第２目的地は、ユーザが将来に居るつもりである位置であってよい。第２位置に関連付けられている時刻は、ユーザが第２位置に居るつもりである将来の時刻であってよい。ユーザは、この情報をユーザインターフェース（図示せず）を介して提供でき、ユーザインターフェースは、かかる情報を入力するためのフィールドを備えうる。様々な実施形態において、第１位置および第２位置は、住所で指定されてよい。様々な実施形態において、第１位置および第２位置は、地図座標で指定されてもよく、地図座標は、ユーザが地図上の特定の位置を選択することによって提供されてよい。
【０１３１】
工程１３０６において、システムは、第１目的地に移動してユーザから物品を受け取るよう、自律ロボット車両１０１に命令を通信する。セキュアなコンパートメント、および、コンパートメントへの安全なユーザアクセスなど、自律ロボット車両の態様が本明細書で上述されている。したがって、ユーザは、ロボット車両１０１のコンパートメント１０２、１０４に物品を保管できる。様々な実施形態において、ロボット車両１０１は、サブコンパートメントに物品を受け入れることができる。コンパートメントに関する本明細書の記載は、サブコンパートメントにも当てはまる。様々な実施形態において、ロボット車両１０１は、ユーザによる物品の記述に基づいて、特定のユーザにどのコンパートメントまたはサブコンパートメントを割り当てるのかを決定してよく、記述は、寸法情報および重量情報を含んでよい。
【０１３２】
工程１３０８において、システムは、物品が受け取られた旨の示唆（通知）を自律ロボット車両１０１から受信する。様々な実施形態において、ロボット車両１０１は、ユーザに対応するユーザ識別データを検出するためにサーバと通信する認証システムを備えてよい。様々な実施形態において、ロボット車両１０１は、ユーザの位置と、ユーザの識別に役立つその他のデータポイントとを格納しており、かかるデータポイントは、例えば、氏名、誕生日、ＰＩＮ番号、電話番号、ユーザアカウント、および、バイオメトリック情報（顔認識または指紋など）を含んでよい。ロボット車両１０１は、これらの任意の組みあわせを用いてユーザを識別してよく、認証されたユーザにのみ車両のコンパートメント１０２、１０４へのアクセスを許可する。一実施形態において、ユーザは、自身のアカウントにログインしたスマートフォンアプリを用いて、ロボット車両１０１にアクセスできる。別の実施形態において、ユーザは、ロボット車両１０１を開くために利用できるＰＩＮコードを、ロボット車両１０１からのテキストメッセージを介して受信する。別の実施形態において、システムは、ロボット車両１０１のコンパートメント１０２、１０４内の中身にアクセスさせる前に、顔認識またはその他のバイオメトリック情報を用いて、ユーザを識別してもよい。かかる例は、例示にすぎず、その他の認証または識別メカニズムが、本開示の範囲内で想定される。
【０１３３】
工程１３１０において、システムは、第２目的地に移動して第２目的地に関連付けられている時刻に物品を配達するよう、自律ロボット車両１０１に命令を通信する。この目的地は、例えば、住居用住所、商業用住所、または、ＧＰＳ位置でありうる。例えば、ユーザは、ビーチまたはキャンプサイトにいる場合がある。第２位置に関連付けられている時刻は、ユーザが第２位置に居るつもりである時刻として、ユーザによって予め設定されてよい。様々な実施形態において、ユーザが、第２目的地に一致する特定のＧＰＳ位置に到達したら、システムは、できるだけ早く第２目的地に移動するよう、自律ロボット車両１０１に命令してよく、自律ロボット車両１０１が物品を配達する途中である旨のメッセージをユーザインターフェースに送信できる。様々な実施形態において、ユーザは、ユーザインターフェースを用いて、第２目的地／受け取り時刻を更新可能であってよい。例えば、旅行者が自律ロボット車両１０１のセキュアなロッカーに荷物を積み、フライトが遅れた場合、旅行者は、自律ロボット車両１０１と空港で落ち合いたい時刻を調整したい場合がある。その後、旅行者は、ユーザインターフェースを用いて時刻を更新してよく、システムは、その遅い時刻に自律ロボット車両１０１を旅行者と落ち合わせる。
【０１３４】
様々な実施形態において、自律ロボット車両１０１は、第２目的地に関連付けられている時刻までに第２目的地に到着することを含む移動ルートを決定する。ルートは、複数の目的地を含んでもよい。したがって、自律ロボット車両は、第２目的地に到着する前に１カ所以上に立ち寄る場合がある。自律車両のナビゲーションシステムは、最小限の時間または燃料で複数の配達を達成するルートを決定してよい。
【０１３５】
様々な実施形態において、ロボット車両１０１は、セキュアなコンパートメント１０２、１０４内の物品の意図された受領者（ユーザまたは別の意図された受領者など）に対応するデータを検出するためにサーバと通信する認証システムを備える。受領者は、コンパートメント１０２、１０４内に物品を保管したユーザ、または、別の意図された受領者でありうることが想定される。例えば、自律ロボット車両内に物品を保管するユーザと、自律ロボット車両から物品を回収するユーザが、同じ家族、同じ会社、または、同じ旅行グループの一員であってよく、もしくは、別の関係性を持っていてもよい。様々な実施形態において、自律ロボット車両内に物品を保管するユーザは、売り手であってよく、自律ロボット車両から物品を回収するユーザは、買い手であってよい。認証システムは、セキュアなコンパートメント１０２、１０４の意図された受領者またはユーザを認証するために、サーバと通信する。
【０１３６】
様々な実施形態において、大きいコンパートメント１０２は、セキュアであってよい。大きいコンパートメント１０２は、複数のスペースすなわちサブコンパートメント１０４へのアクセスを提供するよう構成されてよい。複数のスペースすなわちサブコンパートメント１０４は各々、セキュアであってよい。ユーザ認証データは、上記のアプローチのいずれを含んでもよい、および／または、例えば、バイオメトリックデータ、ＲＦＩＤデータ、バーコードデータ、ＱＲコードデータ、磁気ストライプデータ、光学文字認識データ、および、イメージスキャナデータを含んでもよい。様々な実施形態において、モバイルデバイスまたはその他の電子デバイスが、自律ロボット車両との通信に用いられてよい。例えば、セキュアなコンパートメント１０２、１０４は、モバイルデバイスを用いて予約されてよい。次いで、モバイルデバイスは、上記の方法のいずれかによって、もしくは、近距離無線通信によって、もしくは、その他の無線通信プロトコル（Ｗｉ−Ｆｉ（登録商標）またはＢｌｕｅｔｏｏｔｈ（登録商標））によって、セキュアなコンパートメント１０２、１０４をロック解除するために用いられてよい。
【０１３７】
様々な実施形態において、サーバは、ユーザに対応するバイオメトリックデータに基づいて、自律ロボット車両１０１のセキュアなモジュールまたはセキュアなコンパートメント１０２、１０４をロック解除してよい。様々な実施形態において、システムは、ユーザが自律ロボット車両１０１から物品を回収したところを記録した動画を自律ロボット車両１０１から受信してよい。システムは、その動画をメモリに格納してよい。
【０１３８】
様々な実施形態において、自律ロボット車両１０１は、無線デバイスと通信してよい。例えば、例えば、モバイルデバイスは、スマートフォン、個人用モバイルデバイス、パーソナルデジタルアシスタント（ＰＤＡ）、コンピュータ、ウェアラブルコンピュータデバイスモバイルデバイス、または、かかるデバイスの組み合わせ、であってよい。様々な実施形態において、ユーザが、セキュアなコンパートメント１０２、１０４へのアクセスの際にトラブルを経験している場合に、ロボット１０１上のビデオカメラまたは音声システムが、遠隔オペレータと通信するために用いられてよい。例えば、セキュアなコンパートメントの意図された受領者またはユーザが、コンパートメントのロックを解除できない場合に、遠隔オペレータと通信して、助けを求めることができる。遠隔オペレータは、例えば、ロボット車両１０１の通信システムを用いて遠隔で、セキュアなコンパートメント１０２、１０４を開けてよい。一人の遠隔オペレータが、フリート内の複数のロボット１０１を監視および／または支援しうることが想定される。別の実施形態において、ロボット１０１は、デジタルディスプレイおよび入力インターフェースを備えてもよい。例えば、入力インターフェースは、キーボード、タッチスクリーン、または、音声認識であってよい。
【０１３９】
様々な実施形態において、セキュアなコンパートメント１０２、１０４は、アラームインジケータを備えてよく、アラームインジケータは、不正アクセスまたは無許可アクセスの検出時に警報を提供することができる。例えば、アラームインジケータは、視覚的な警報（警告または警報を提供するライトまたはディスプレイスクリーン）を提供してもよい、および／または、音声警報（サイレンなど）を提供してよい。センサが、セキュアなコンパートメント１０２、１０４の任意の不正操作を検出するために用いられてよい。例えば、センサは、光学的、機械的、または、電気的であってよい。様々な実施形態において、ロボット１０１は、シールステータスを格納しており、セキュアなコンパートメント１０２、１０４が不正操作されたことをシールステータスが示唆した場合に、サーバに警報を出す。
【０１４０】
最後に、工程１３１２において、システムは、物品が回収された旨の示唆を自律ロボット車両から受信する。図１３の図示された動作は、例示であり、自律車両上の移動式ロッカーレンタルシステムを動作させる他の変形例も想定される。例えば、様々な実施形態において、ユーザが、第２目的地を指定することなしに、移動式ロッカーシステムに物品を保管してもよい。むしろ、ユーザは、いつでも自律車両を呼び出すことができ、車両は、ユーザのデバイスが示すＧＰＳ位置に移動できる。様々な実施形態において、ユーザは、複数の目的地と、各目的地に関連付けられている時刻と、を示してもよい。様々な実施形態において、複数の目的地は、同じ都市、町、または、地域に位置してよい。様々な実施形態において、複数の目的地は、異なる都市、町、または、地域に位置してもよい。本明細書に開示される実施形態は、様々な方法で組み合わせられうることが想定されており、かかる組み合わせも、本開示の範囲内にある。
【０１４１】
コントローラおよびプロセッサ
いくつかの実施形態において、ロボットフリート内の各ロボットは、処理のための高レベルの計算およびハードウェアを制御するための低レベルのセーフティクリティカルな計算能力の両方が可能な１または複数のプロセッサ１２５を備えられる。少なくとも１つのプロセッサは、輸送システム、ナビゲーションモジュール、センサシステム、フリート管理モジュールからの命令、通信モジュール、および、コントローラを管理するよう構成される。
【０１４２】
さらに、いくつかの実施形態において、ロボットフリート内の各ロボットは、割り当て可能な顧客２０２または提供者２０４にセキュアなコンパートメント１０２、１０４の各々を関連付け、許可された時にエントリ（利用）を許すよう構成可能なコントローラ１５０を備える。
【０１４３】
さらなる特徴
いくつかの実施形態において、ロボットフリートは、さらに、以下を含む精選されたコンテンツのためのデジタルディスプレイを有する少なくとも１つのロボットを備える。提供サービス、マーケティング／販売促進、サービス提供エリアの地域／場所、顧客の詳細、地域環境を含む、広告（すなわち、特定ユーザおよび一般大衆の両方のための広告）、迷い人、尋ね人、または、発見された人、公共広告、日付、時刻、もしくは、気象。
【０１４４】
本明細書に開示された実施形態は、開示の例であり、様々な形態で具現化されてよい。例えば、本明細書のいくつかの実施形態は、別個の実施形態として記載されているが、本明細書の実施形態の各々が、本明細書の他の実施形態の内の１以上と組み合わせられてもよい。本明細書に開示された具体的な構造および機能の詳細は、限定として解釈されるべきではなく、請求項の根拠として、および、実質的に任意の適切に詳述された構造で本開示を様々に利用するよう当業者に教示するための代表的な根拠として解釈される。同じ符号は、図面の記載にわたって類似または同一の要素に言及しうる。
【０１４５】
「一実施形態において」、「実施形態において」、「様々な実施形態において」、「いくつかの実施形態において」、または、「別の実施形態において」という表現は各々、本開示に従った同じまたは異なる実施形態の内の１以上に言及しうる。「ＡまたはＢ」の形態の表現は、「（Ａ）、（Ｂ）、または、（ＡおよびＢ）」を意味する。「Ａ、Ｂ、または、Ｃの少なくとも１つ」という形態の表現は、「（Ａ）；（Ｂ）；（Ｃ）；（ＡおよびＢ）；（ＡおよびＣ）；（ＢおよびＣ）；または、（Ａ，Ｂ、および、Ｃ）」を意味する。
【０１４６】
本明細書に記載した方法、プログラム、アルゴリズム、または、コードはいずれも、プログラミング言語またはコンピュータプログラムに変換されるか、または、それらで表現されてよい。本明細書で用いられる「プログラミング言語」および「コンピュータプログラム」という用語は各々、コンピュータへの命令を記述するために用いられる任意の言語を含み、以下の言語およびそれらの派生物を含む（ただし、これらに限定されない）。アセンブラ、ベーシック、バッチファイル、ＢＣＰＬ、Ｃ、Ｃ＋、Ｃ＋＋、デルファイ、フォートラン、Ｊａｖａ（登録商標）、ＪａｖａＳｃｒｉｐｔ（登録商標）、マシンコード、オペレーティングシステムコマンド言語、パスカル、パール、ＰＬ１、パイソン、スクリプト言語、ビジュアルベーシック、それら自身がプログラムを記述するメタ言語、および、すべての第１、第２、第３、第４、第５、または、さらなる世代のコンピュータ言語。また、データベースおよびその他のデータスキーマならびに任意のその他のメタ言語も含まれる。解釈される、コンパイルされる、または、コンパイルおよび解釈アプローチの両方に利用される言語は区別されない。プログラムのコンパイルバージョンおよびソースバージョンは区別されない。したがって、プログラムへの言及は、（ここで、プログラミング言語は、２以上の状態（ソース、コンパイル、オブジェクト、または、リンクなど）で存在しうる）、ありとあらゆるかかる状態への言及である。プログラムへの言及は、実際の命令および／またはそれらの命令の意図を含みうる。
【０１４７】
本明細書に記載のシステムは、１または複数のコントローラを用いて、様々な情報を受信し、受信した情報を変換して出力を生成してもよい。コントローラは、メモリに格納された一連の命令を実行できる任意のタイプのコンピュータデバイス、計算回路、もしくは、任意のタイプのプロセッサまたは処理回路を備えてよい。コントローラは、マルチプロセッサおよび／またはマルチコア中央処理装置（ＣＰＵ）を備えてよく、任意のタイプのプロセッサ（マイクロプロセッサ、デジタル信号プロセッサ、マイクロコントローラ、プログラマブルロジックデバイス（ＰＬＤ）、フィールドプログラマブルゲートアレイ（ＦＰＧＡ）など）を備えてよい。コントローラは、１または複数のプロセッサによって実行された時に、１または複数のプロセッサに、１または複数の方法および／またはアルゴリズムを実行させるデータおよび／または命令を格納するメモリも備えてよい。
【０１４８】
上述の記載は、本開示の単に例示にすぎないことを理解されたい。様々な代替例および変形例が、本開示から逸脱することなしに当業者によって考案されうる。したがって、本開示は、すべてのかかる代替例、変形例、および、変更例を含むよう意図される。添付の図面を参照しつつ説明された実施形態は、本開示の特定の例を示す目的でのみ提示されたものである。上述したものおよび／または添付の請求の範囲に記載したものと実質的に異ならない他の要素、工程、方法、および、技術も、本開示の範囲内に含まれるよう意図される。
【図１】
2021532477.tif 000003
【図２】
2021532477.tif 000004
【図３】
2021532477.tif 000005
【図４】
2021532477.tif 000006
【図５】
2021532477.tif 000007
【図６】
2021532477.tif 000008
【図７】
2021532477.tif 000009
【図８】
2021532477.tif 000010
【図９】
2021532477.tif 000011
【図１０】
2021532477.tif 000012
【図１１】
2021532477.tif 000013
【図１２】
2021532477.tif 000014
【図１３】
2021532477.tif 000015
【国際調査報告】
2021532477.tif 000016
2021532477.tif 000017
2021532477.tif 000018